(57)【要約】【課題】次工程における処理順序が決まっていない資材も対象とする場合に、現工程における処理対象の資材の適切な搬送先を判断できるようにする。【解決手段】現工程の次の工程である次工程における資材の処理順序を記憶する処理順序記憶手段と、次工程で処理される頻度が高い資材の種別を記憶する資材種別記憶手段と、処理順序記憶手段に記憶された処理順序と、資材種別記憶手段に記憶された種別とを用いて、現工程における処理対象の資材の搬送先を決定する決定手段と、決定手段により決定された搬送先を示す情報を出力する出力手段とを備えたことを特徴とする搬送先判断支援装置。【選択図】図１
2020017205.tif 000002
【特許請求の範囲】
【請求項１】
現工程の次の工程である次工程における資材の処理順序を記憶する処理順序記憶手段と、
前記次工程で処理される頻度が高い資材の種別を記憶する資材種別記憶手段と、
前記処理順序記憶手段に記憶された処理順序と、前記資材種別記憶手段に記憶された種別とを用いて、前記現工程における処理対象の資材の搬送先を決定する決定手段と、
前記決定手段により決定された搬送先を示す情報を出力する出力手段と
を備えたことを特徴とする搬送先判断支援装置。
【請求項２】
前記決定手段は、前記現工程における処理対象の資材の搬送先として、当該現工程における処理前の資材の処理後の搬送先を決定することを特徴とする請求項１に記載の搬送先判断支援装置。
【請求項３】
前記現工程の前の工程である前工程における資材の処理順序に基づいて、当該現工程における資材の処理順序を作成する作成手段を更に備え、
前記決定手段は、前記現工程における資材の処理順序に対して、当該現工程における処理前の資材の処理後の搬送先を関連付けることを特徴とする請求項２に記載の搬送先判断支援装置。
【請求項４】
前記決定手段は、前記現工程における処理前の資材の処理順序が、前記処理順序記憶手段に記憶された差し迫った処理順序に含まれていれば、当該処理前の資材の処理後の搬送先を、当該現工程の工場内の置き場に決定することを特徴とする請求項２に記載の搬送先判断支援装置。
【請求項５】
前記決定手段は、前記現工程における処理前の資材の種別が、前記資材種別記憶手段に記憶された種別に含まれていれば、当該処理前の資材の処理後の搬送先を、当該現工程の工場内の置き場に決定することを特徴とする請求項２に記載の搬送先判断支援装置。
【請求項６】
前記決定手段は、前記現工程における処理前の資材の処理順序が、前記処理順序記憶手段に記憶された差し迫った処理順序に含まれておらず、かつ、当該処理前の資材の種別が、前記資材種別記憶手段に記憶された種別に含まれていなければ、当該処理前の資材の処理後の搬送先を、当該現工程の工場外の置き場に決定することを特徴とする請求項２に記載の搬送先判断支援装置。
【請求項７】
前記決定手段は、前記現工程における処理対象の資材の搬送先として、当該現工程における処理済の資材の搬送先を決定することを特徴とする請求項１に記載の搬送先判断支援装置。
【請求項８】
前記決定手段は、前記現工程における処理済の資材のリストに対して、当該現工程における処理済の資材の搬送先を関連付けることを特徴とする請求項７に記載の搬送先判断支援装置。
【請求項９】
前記決定手段は、前記現工程における処理済の資材の処理順序が、前記処理順序記憶手段に記憶された差し迫った処理順序に含まれていれば、当該処理済の資材の搬送先を、前記次工程に決定することを特徴とする請求項７に記載の搬送先判断支援装置。
【請求項１０】
前記決定手段は、前記現工程における処理済の資材の処理順序が、前記処理順序記憶手段に記憶された差し迫った処理順序に含まれておらず、かつ、当該処理済の資材の種別が、前記資材種別記憶手段に記憶された種別に含まれていなければ、当該処理済の資材の搬送先を、当該現工程の工場外の置き場に決定することを特徴とする請求項７に記載の搬送先判断支援装置。
【請求項１１】
前記資材種別記憶手段は、前記次工程で処理される頻度が高い資材の種別として、当該次工程における直近一定期間の処理量が多い資材の種別を記憶することを特徴とする請求項１に記載の搬送先判断支援装置。
【請求項１２】
現工程の次の工程である次工程における資材の処理順序を処理順序記憶手段に記憶し、
前記次工程で処理される頻度が高い資材の種別を資材種別記憶手段に記憶し、
前記処理順序記憶手段に記憶された処理順序と、前記資材種別記憶手段に記憶された種別とを用いて、前記現工程における処理対象の資材の搬送先を決定し、
決定された搬送先を示す情報を出力する
ことを特徴とする搬送先判断支援方法。
【請求項１３】
コンピュータに、
現工程の次の工程である次工程における資材の処理順序を処理順序記憶手段に記憶する機能と、
前記次工程で処理される頻度が高い資材の種別を資材種別記憶手段に記憶する機能と、
前記処理順序記憶手段に記憶された処理順序と、前記資材種別記憶手段に記憶された種別とを用いて、前記現工程における処理対象の資材の搬送先を決定する機能と、
決定された搬送先を示す情報を出力する機能と
を実現させるためのプログラム。
【発明の詳細な説明】
【技術分野】
【０００１】
本発明は、現工程における処理対象の資材の搬送先の判断を支援する搬送先判断支援装置、搬送先判断支援方法及びプログラムに関する。
【背景技術】
【０００２】
金属材を配置するヤードに既到着の金属材とヤードに未到着の金属材とを搬送単位毎に搬送機器により搬送して、ヤードの後工程への払い出し順に応じた積順で山積みされた金属材からなる本山を作成するためのヤード管理装置であって、未到着材と既到着材とを含む搬送対象の金属材の初期搬送時刻又は最終搬送時刻を決定変数として用いて、金属材の搬送順に関する搬送制約式と、本山に搬送される過程で金属材が滞留する時間を最小化する搬送目的関数とを表現し、搬送制約式を満足する範囲で搬送目的関数を最小化し、金属材の初期搬送時刻及び最終搬送時刻の最適値を導出するとともに、両最適値に基づいて、本山に配置される前に金属材をヤードに仮置きして仮山を形成する必要があるか否かを、金属材のそれぞれについて判定して、仮置き対象となる金属材を決定するヤード管理装置は、知られている（例えば、特許文献１参照）。
【先行技術文献】
【特許文献】
【０００３】
【特許文献１】特許第５３６５７５９号公報
【発明の概要】
【発明が解決しようとする課題】
【０００４】
ここで、次工程における処理順序が決まっている資材のみを対象として、現工程における処理対象の資材の搬送先を判断する構成を採用したのでは、次工程における処理順序が決まっていない資材も対象とする場合に、現工程における処理対象の資材の適切な搬送先を判断できない可能性がある。
【０００５】
本発明の目的は、次工程における処理順序が決まっていない資材も対象とする場合に、現工程における処理対象の資材の適切な搬送先を判断できるようにすることにある。
【課題を解決するための手段】
【０００６】
かかる目的のもと、本発明は、現工程の次の工程である次工程における資材の処理順序を記憶する処理順序記憶手段と、次工程で処理される頻度が高い資材の種別を記憶する資材種別記憶手段と、処理順序記憶手段に記憶された処理順序と、資材種別記憶手段に記憶された種別とを用いて、現工程における処理対象の資材の搬送先を決定する決定手段と、決定手段により決定された搬送先を示す情報を出力する出力手段とを備えた搬送先判断支援装置を提供する。
【０００７】
ここで、決定手段は、現工程における処理対象の資材の搬送先として、現工程における処理前の資材の処理後の搬送先を決定する、ものであってよい。
【０００８】
その場合、搬送先判断支援装置は、現工程の前の工程である前工程における資材の処理順序に基づいて、現工程における資材の処理順序を作成する作成手段を更に備え、決定手段は、現工程における資材の処理順序に対して、現工程における処理前の資材の処理後の搬送先を関連付ける、ものであってよい。
【０００９】
また、決定手段は、現工程における処理前の資材の処理順序が、処理順序記憶手段に記憶された差し迫った処理順序に含まれていれば、処理前の資材の処理後の搬送先を、現工程の工場内の置き場に決定する、ものであってもよいし、現工程における処理前の資材の種別が、資材種別記憶手段に記憶された種別に含まれていれば、処理前の資材の処理後の搬送先を、現工程の工場内の置き場に決定する、ものであってもよいし、現工程における処理前の資材の処理順序が、処理順序記憶手段に記憶された差し迫った処理順序に含まれておらず、かつ、処理前の資材の種別が、資材種別記憶手段に記憶された種別に含まれていなければ、処理前の資材の処理後の搬送先を、現工程の工場外の置き場に決定する、ものであってもよい。
【００１０】
或いは、決定手段は、現工程における処理対象の資材の搬送先として、現工程における処理済の資材の搬送先を決定する、ものであってよい。
【００１１】
その場合、決定手段は、現工程における処理済の資材のリストに対して、現工程における処理済の資材の搬送先を関連付ける、ものであってよい。
【００１２】
また、決定手段は、現工程における処理済の資材の処理順序が、処理順序記憶手段に記憶された差し迫った処理順序に含まれていれば、処理済の資材の搬送先を、次工程に決定する、ものであってもよいし、現工程における処理済の資材の処理順序が、処理順序記憶手段に記憶された差し迫った処理順序に含まれておらず、かつ、処理済の資材の種別が、資材種別記憶手段に記憶された種別に含まれていなければ、処理済の資材の搬送先を、現工程の工場外の置き場に決定する、ものであってもよい。
【００１３】
加えて、資材種別記憶手段は、次工程で処理される頻度が高い資材の種別として、次工程における直近一定期間の処理量が多い資材の種別を記憶する、ものであってよい。
【００１４】
また、本発明は、現工程の次の工程である次工程における資材の処理順序を処理順序記憶手段に記憶し、次工程で処理される頻度が高い資材の種別を資材種別記憶手段に記憶し、処理順序記憶手段に記憶された処理順序と、資材種別記憶手段に記憶された種別とを用いて、現工程における処理対象の資材の搬送先を決定し、決定された搬送先を示す情報を出力する搬送先判断支援方法も提供する。
【００１５】
更に、本発明は、コンピュータに、現工程の次の工程である次工程における資材の処理順序を処理順序記憶手段に記憶する機能と、次工程で処理される頻度が高い資材の種別を資材種別記憶手段に記憶する機能と、処理順序記憶手段に記憶された処理順序と、資材種別記憶手段に記憶された種別とを用いて、現工程における処理対象の資材の搬送先を決定する機能と、決定された搬送先を示す情報を出力する機能とを実現させるためのプログラムも提供する。
【発明の効果】
【００１６】
本発明によれば、次工程における処理順序が決まっていない資材も対象とする場合に、現工程における処理対象の資材の適切な搬送先を判断できるようになる。
【図面の簡単な説明】
【００１７】
【図１】本発明の実施の形態における搬送先判断支援システムの機能構成例を示した図である。
【図２】前工程処理順記憶部に記憶された前工程の鋼片の処理順の具体例を示した図である。
【図３】処理済鋼片記憶部に記憶された現工程の工場内の処理済の鋼片のリストの具体例を示した図である。
【図４】（ａ）〜（ｃ）は、次工程処理順記憶部に記憶された次工程の鋼片の処理順の具体例を示した図である。
【図５】次工程鋼種記憶部に記憶された次工程の処理量上位Ｎ位以内の鋼種のリストの具体例を示した図である。
【図６】本発明の実施の形態における搬送先判断支援装置の現工程処理順作成部及び処理後搬送先決定部の動作例を示したフローチャートである。
【図７】現工程処理順記憶部に記憶された現工程の鋼片の処理順に対して鋼片の処理後の搬送先が指定されたリストの具体例を示す図である。
【図８】本発明の実施の形態における搬送先判断支援装置の搬送先決定部の動作例を示したフローチャートである。
【図９】処理済鋼片記憶部に記憶された現工程の工場内の処理済の鋼片に対して鋼片の搬送先が指定されたリストの具体例を示す図である。
【図１０】本発明の実施の形態における搬送先判断支援装置のハードウェア構成例を示す図である。
【発明を実施するための形態】
【００１８】
以下、添付図面を参照して、本発明の実施の形態について詳細に説明する。
【００１９】
［本実施の形態の背景］
鉄鋼製品の製造においては、工程間で、製造の順序の思想が異なる。例えば、上工程では、受注オーダの中から、成分が同じもの又は近いものをまとめて製造することで、歩留向上が図られる。一方、下工程、特に圧延工程では、同じく受注オーダの中から、サイズが同じもの又は近いものをまとめて製造することで、生産性向上が図られる。
【００２０】
このように、製造の順序が異なる上工程と下工程との間で、鋼片と呼ばれる半製品を滞りなく受け渡すためには、これらの工程間で鋼片の順序を入れ換える必要がある。そして、このことは、例えば下工程に含まれる現工程及びその次の工程である次工程についても当てはまる。具体的には、現工程で処理された鋼片を一時保管しておき、後から処理された鋼片を先に次工程へ運ぶ必要がある。このとき、現工程の工場内に置き場が豊富にあればよいが、置き場が十分でない場合も多い。そのような場合、鋼片をヤードと呼ばれる工場外の置き場に運び出すことになる。この搬送は、工場内でクレーンで台車に鋼片を積み、台車を機関車で牽引してヤードに運び、ヤード内でクレーンで台車から鋼片を下ろすことにより行われる。また、鋼片が必要となったタイミングにおいても、クレーンによる鋼片の積み下ろしや、台車の牽引といった作業が発生し、無駄な物流となる。
【００２１】
こうした無駄な物流を回避するための方法としては、例えば、現工程から次工程への資材の搬送の際の制約を不等式で表現し、これら制約の下で、現工程に未到着の資材の受け入れ総待ち時間と仮置き総時間との線形和を最小化する数理問題に定式化し、これを解くことで、仮置きする鋼片を決める方法が考えられる。
【００２２】
しかしながら、この方法では、次工程への搬送時刻の大小関係、つまり、次工程における処理順序が予め決められた資材が対象となる。実際には、次工程における処理順序が決まっていない場合（次工程における処理順序が変更となった場合も含む）にも対応する必要がある。
【００２３】
そこで、本実施の形態では、次工程で処理される頻度が高い資材の種別を考慮することにより、次工程における処理順序が決まっているか決まっていないかを問わず、資材をどこに搬送すべきかの適切な判断を支援する。尚、以下では、鋼片の搬送に対して本実施の形態を適用した場合について説明するが、本実施の形態は、一般の資材の搬送に対しても適用可能である。
【００２４】
［搬送先判断支援システムの構成］
図１は、本実施の形態における搬送先判断支援システム１の機能構成例を示した図である。図示するように、搬送先判断支援システム１は、搬送先判断支援装置１０と、端末装置２０とを備える。搬送先判断支援装置１０は、鋼片をどこへ搬送すればよいかを示す情報を端末装置２０に表示し、端末装置２０は、表示した情報に基づき鋼片の搬送に関する判断をユーザに促す。
【００２５】
搬送先判断支援装置１０は、前工程処理順記憶部１１と、処理済鋼片記憶部１２と、次工程処理順記憶部１３と、次工程鋼種記憶部１４と、現工程処理順作成部１５と、現工程処理順記憶部１６と、処理後搬送先決定部１７と、搬送先決定部１８と、搬送先出力部１９とを備える。
【００２６】
前工程処理順記憶部１１は、前工程の鋼片の処理順を記憶する。例えば、前工程の処理順に、鋼片の鋼種と鋼片ＩＤとの対応を記憶すればよい。前工程処理順記憶部１１に記憶された前工程の鋼片の処理順は、定期的に、例えば、勤ごとに更新される。
【００２７】
処理済鋼片記憶部１２は、現工程の工場内の処理済の鋼片のリストを記憶する。例えば、現工程の鋼片の処理順とは関係なく、鋼片の鋼種と鋼片ＩＤとの対応を記憶すればよい。処理済鋼片記憶部１２に記憶された現工程の工場内の処理済の鋼片のリストは、定期的に、例えば、勤ごとに更新される。また、処理済鋼片記憶部１２は、搬送先決定部１８により処理済の鋼片の搬送先が決定されると、その搬送先も記憶する。
【００２８】
次工程処理順記憶部１３は、次工程の鋼片の処理順を記憶する。例えば、次工程の処理順に、鋼片の鋼種と鋼片ＩＤとの対応を記憶すればよい。次工程処理順記憶部１３に記憶された次工程の鋼片の処理順は、定期的に、例えば、勤ごとに更新される。本実施の形態では、次工程における資材の処理順序を記憶する処理順序記憶手段の一例として、次工程処理順記憶部１３を設けている。
【００２９】
次工程鋼種記憶部１４は、次工程で処理される頻度が高い鋼種のリストを記憶する。例えば、次工程における直近一定期間の処理量が多い、つまり、処理量上位Ｎ位以内の鋼種のリストを記憶する。ここでＮは自然数である。次工程鋼種記憶部１４に記憶された次工程の処理量上位Ｎ位以内の鋼種のリストは、定期的に、例えば、年ごとに更新される。本実施の形態では、次工程で処理される頻度が高い資材の種別を記憶する資材種別記憶手段の一例として、次工程鋼種記憶部１４を設けている。
【００３０】
現工程処理順作成部１５は、例えば、勤開始前に、前工程処理順記憶部１１に記憶された前工程の鋼片の処理順を用いて、現工程の鋼片の処理順を作成する。本実施の形態では、前工程における資材の処理順序に基づいて、現工程における資材の処理順序を作成する作成手段の一例として、現工程処理順作成部１５を設けている。
【００３１】
現工程処理順記憶部１６は、現工程処理順作成部１５により作成された現工程の鋼片の処理順を記憶する。また、現工程処理順記憶部１６は、処理後搬送先決定部１７により鋼片の処理後の搬送先が決定されると、その処理後の搬送先も記憶する。
【００３２】
処理後搬送先決定部１７は、例えば、勤開始前に、次工程処理順記憶部１３に記憶された次工程の鋼片の処理順と、次工程鋼種記憶部１４に記憶された次工程の処理量上位Ｎ位以内の鋼種のリストとを用いて、鋼片の処理後の搬送先を決定する。鋼片の処理後の搬送先としては、工場内に留める、ヤードへ運び出す等を決定する。また、決定した鋼片の処理後の搬送先は、現工程処理順記憶部１６の現工程の鋼片の処理順に対応付けて記憶する。本実施の形態では、現工程における処理対象の資材の搬送先を決定する決定手段の一例として、また、現工程における処理前の資材の処理後の搬送先を決定する決定手段の一例として、処理後搬送先決定部１７を設けている。また、決定した鋼片の処理後の搬送先を、現工程処理順記憶部１６の現工程の鋼片の処理順に対応付けて記憶することは、現工程における資材の処理順序に対して、現工程における処理前の資材の処理後の搬送先を関連付けることの一例である。
【００３３】
搬送先決定部１８は、例えば、勤開始前に、現工程の工場内に残っている処理済の鋼片の搬送先を決定する。ここでは、例えば、処理後搬送先決定部１７により鋼片の処理後の搬送先が工場内に決定され、次工程処理順記憶部１３に記憶された次工程の鋼片の処理順から処理が一定期間以内に迫っていると判定される鋼片の搬送先を、次工程に決定する。或いは、次工程の予定が変わる等の理由で、次工程へ運び出される可能性が低くなった鋼片の搬送先を、ヤードに決定する。また、決定した鋼片の搬送先は、処理済鋼片記憶部１２の処理済の鋼片のリストに対応付けて記憶する。本実施の形態では、現工程における処理対象の資材の搬送先を決定する決定手段の一例として、また、現工程における処理済の資材の搬送先を決定する決定手段の一例として、搬送先決定部１８を設けている。また、決定した鋼片の搬送先を、処理済鋼片記憶部１２の処理済の鋼片のリストに対応付けて記憶することは、現工程における処理済の資材のリストに対して、現工程における処理済の資材の搬送先を関連付けることの一例である。
【００３４】
搬送先出力部１９は、現工程処理順記憶部１６に現工程の鋼片の処理順に対応付けて記憶された鋼片の処理後の搬送先と、処理済鋼片記憶部１２に現工程の工場内の処理済の鋼片のリストに対応付けて記憶された処理済の鋼片の搬送先とを示す情報を、端末装置２０に出力する。本実施の形態では、決定された搬送先を示す情報を出力する出力手段の一例として、搬送先出力部１９を設けている。
【００３５】
［搬送先判断支援装置の動作］
搬送先判断支援装置１０の動作の説明に先立ち、動作で用いる情報の具体例について説明する。
【００３６】
図２は、前工程処理順記憶部１１に記憶された前工程の鋼片の処理順の具体例を示した図である。図は、３月１９日１勤における前工程の鋼片の処理順の例である。前工程の鋼片の処理順について、処理順「１」が鋼種「Ａ」の鋼片ＩＤ「１１２」の鋼片であること、処理順「２」が鋼種「Ａ」の鋼片ＩＤ「１１３」の鋼片であること等を示している。
【００３７】
図３は、処理済鋼片記憶部１２に記憶された現工程の工場内の処理済の鋼片のリストの具体例を示した図である。図は、３月１９日１勤における現工程の工場内の処理済の鋼片のリストの例である。現工程の工場内の処理済の鋼片として、鋼種「Ｕ」の鋼片ＩＤ「９１２」の鋼片があること、鋼種「Ｄ」の鋼片ＩＤ「８７２」の鋼片があること等を示している。
【００３８】
図４（ａ）〜（ｃ）は、次工程処理順記憶部１３に記憶された次工程の鋼片の処理順の具体例を示した図である。（ａ）は、３月１９日１勤における次工程の鋼片の処理順の例である。次工程の鋼片の処理順について、処理順「１」が鋼種「Ｅ」の鋼片ＩＤ「９９８」の鋼片であること、処理順「２」が鋼種「Ｆ」の鋼片ＩＤ「９２８」の鋼片であること等を示している。（ｂ）は、３月１９日２勤における次工程の鋼片の処理順の例である。次工程の鋼片の処理順について、処理順「１」が鋼種「Ｕ」の鋼片ＩＤ「９１２」の鋼片であること、処理順「２」が鋼種「Ｄ」の鋼片ＩＤ「８７２」の鋼片であること等を示している。（ｃ）は、３月１９日３勤における次工程の鋼片の処理順の例である。次工程の鋼片の処理順について、処理順「１」が鋼種「Ｇ」の鋼片ＩＤ「１８８」の鋼片であること、処理順「２」が鋼種「Ｇ」の鋼片ＩＤ「２２２」の鋼片であること等を示している。
【００３９】
図５は、次工程鋼種記憶部１４に記憶された次工程の処理量上位Ｎ位以内の鋼種のリストの具体例を示した図である。図は、Ｎを５としたものであり、次工程の処理量上位５位以内の鋼種のリストの例である。次工程の処理量上位５位以内の鋼種として、順位「１」が鋼種「Ｕ」であること、順位「２」が鋼種「Ｄ」であること等を示している。
【００４０】
図６は、本実施の形態における搬送先判断支援装置１０の現工程処理順作成部１５及び処理後搬送先決定部１７の動作例を示したフローチャートである。
【００４１】
図示するように、搬送先判断支援装置１０では、まず、現工程処理順作成部１５が、前工程処理順記憶部１１に記憶された前工程の鋼片の処理順に合わせて、現工程の鋼片の処理順を作成する（ステップ１０１）。具体的には、前工程の鋼片の処理順をそのまま現工程の鋼片の処理順としてよい。また、このように作成された現工程の鋼片の処理順は、現工程処理順記憶部１６に記憶される。
【００４２】
次に、搬送先判断支援装置１０では、処理後搬送先決定部１７が、現工程処理順記憶部１６に現工程の処理順が記憶されている鋼片を対象に、次工程処理順記憶部１３に記憶された次工程の鋼片の処理順を参照して、次工程の処理順が迫っている鋼片の処理後の搬送先を、工場内に決定する（ステップ１０２）。
【００４３】
次に、処理後搬送先決定部１７は、現工程処理順記憶部１６に現工程の処理順が記憶されている鋼片を対象に、次工程鋼種記憶部１４に記憶された次工程の処理量上位Ｎ位以内の鋼種のリストを参照し、上位Ｎ位以内の鋼種の鋼片の処理後の搬送先を、工場内に決定する（ステップ１０３）。
【００４４】
最後に、処理後搬送先決定部１７は、現工程処理順記憶部１６に現工程の処理順が記憶されている鋼片を対象に、処理後の搬送先が決まっていない鋼片の処理後の搬送先を、ヤードに決定する（ステップ１０４）。
【００４５】
これにより、現工程の鋼片の処理順に対して鋼片の処理後の搬送先が指定されたリストが現工程処理順記憶部１６に記憶される。
【００４６】
図７は、現工程処理順記憶部１６に記憶された現工程の鋼片の処理順に対して鋼片の処理後の搬送先が指定されたリストの具体例を示す図である。図７では、まず、図２の前工程の鋼片の処理順と同じ処理順で鋼種及び鋼片ＩＤが並ぶ。また、一例として、現在の勤から２勤以内の次工程の処理順に含まれる鋼片を次工程の処理順が差し迫っている鋼片とすると、図４（ｃ）で次工程の処理順が２勤先に迫っている鋼片ＩＤ「３３３」の鋼片及び鋼片ＩＤ「２３２」の鋼片（図４（ｃ）で斜線ハッチングにより示す）について、処理後の搬送先として、工場内が指定されている（図７で斜線ハッチングにより示す）。また、図５で次工程の処理量上位２位となっている鋼種「Ｄ」（図５でクロスハッチングにより示す）の鋼片である鋼片ＩＤ「２９１」、「３９１」、「３９２」の鋼片について、処理後の搬送先として、工場内が指定されている（図７でクロスハッチングにより示す）。一方、それ以外の鋼片、つまり、図４（ｃ）で次工程の処理順が２勤先に迫っておらず、かつ、図５で次工程の処理量上位５位以内になっていない鋼種については、処理後の搬送先として、ヤードが指定されている。
【００４７】
図８は、本実施の形態における搬送先判断支援装置１０の搬送先決定部１８の動作例を示したフローチャートである。
【００４８】
図示するように、搬送先判断支援装置１０では、まず、搬送先決定部１８が、処理済鋼片記憶部１２に記憶された現工程の工場内の処理済の鋼片を対象に、次工程処理順記憶部１３に記憶された次工程の鋼片の処理順を参照して、次工程の処理順が迫っている鋼片の搬送先を、次工程に指定する（ステップ１５１）。
【００４９】
次に、搬送先決定部１８は、処理済鋼片記憶部１２に記憶された現工程の工場内の処理済の鋼片を対象に、次工程処理順記憶部１３に記憶された次工程の鋼片の処理順を参照して、次工程の処理順が決まっておらず、かつ、次工程の処理量上位Ｎ位以外の鋼種の鋼片の搬送先を、ヤードに指定する（ステップ１５２）。
【００５０】
これにより、現工程の工場内に残っている処理済の鋼片に対して鋼片の搬送先が一括指定されたリストが処理済鋼片記憶部１２に記憶される。
【００５１】
図９は、処理済鋼片記憶部１２に記憶された現工程の工場内の処理済の鋼片に対して鋼片の搬送先が指定されたリストの具体例を示す図である。一例として、現在の勤から１勤以内の次工程の処理順に含まれる鋼片を次工程の処理順が差し迫っている鋼片とすると、図４（ｂ）で次工程の処理順が１勤先に迫っている鋼片ＩＤ「９１２」、「８７２」、「１１１」、「２１２」、「９８２」の鋼片（図４（ｂ）で斜線ハッチングにより示す）について、搬送先として、次工程が指定されている（図９で斜線ハッチングにより示す）。また、図４（ａ），（ｂ）で次工程の処理順が決まっている鋼片、及び、図５で次工程の処理量上位５位以内の鋼種「Ｇ」（図５でクロスハッチングにより示す）の鋼片である鋼片ＩＤ「４５４」の鋼片（図９でクロスハッチングにより示す）を除いた、鋼片ＩＤ「２８２」、「１９８」の鋼片について、搬送先として、ヤードが指定されている。
【００５２】
［搬送先判断支援装置のハードウェア構成］
図１０は、搬送先判断支援装置１０のハードウェア構成例を示す図である。
【００５３】
図示するように、搬送先判断支援装置１０は、例えば汎用のＰＣ（Personal Computer）等により実現され、演算手段であるＣＰＵ９１と、記憶手段であるメインメモリ９２及び磁気ディスク装置（ＨＤＤ：Hard Disk Drive）９３とを備える。ここで、ＣＰＵ９１は、ＯＳ（Operating System）やアプリケーションソフトウェア等の各種プログラムを実行し、搬送先判断支援装置１０の各機能を実現する。また、メインメモリ９２は、各種プログラムやその実行に用いるデータ等を記憶する記憶領域であり、ＨＤＤ９３は、記憶媒体の一例であって、各種プログラムに対する入力データや各種プログラムからの出力データ等を記憶する記憶領域である。
【００５４】
また、搬送先判断支援装置１０は、外部との通信を行うための通信Ｉ／Ｆ９４と、ビデオメモリやディスプレイ等からなる表示機構９５と、キーボードやマウス等の入力デバイス９６と、記憶媒体に対してデータの読み書きを行うためのドライバ９７とを備える。尚、図１０は、搬送先判断支援装置１０をコンピュータシステムにて実現した場合のハードウェア構成を例示するに過ぎず、搬送先判断支援装置１０は図示の構成に限定されない。
【００５５】
［本実施の形態の効果］
以上述べたように、本実施の形態では、次工程で処理される頻度が高い資材の種別を考慮することにより、次工程における処理順序が決まっていない鋼片を対象とする場合であっても、現工程の処理が終わった鋼片をヤードへの運び出しを抑えながら次工程へ滞りなく搬送するための搬送先の判断を行うことが可能となる。
【符号の説明】
【００５６】
１…搬送先判断支援システム、１０…搬送先判断支援装置、１１…前工程処理順記憶部、１２…処理済鋼片記憶部、１３…次工程処理順記憶部、１４…次工程鋼種記憶部、１５…現工程処理順作成部、１６…現工程処理順記憶部、１７…処理後搬送先決定部、１８…搬送先決定部、１９…搬送先出力部、２０…端末装置
【図１】
2020017205.tif 000003
【図２】
2020017205.tif 000004
【図３】
2020017205.tif 000005
【図４】
2020017205.tif 000006
【図５】
2020017205.tif 000007
【図６】
2020017205.tif 000008
【図７】
2020017205.tif 000009
【図８】
2020017205.tif 000010
【図９】
2020017205.tif 000011
【図１０】
2020017205.tif 000012